(57)【要約】  本発明にかかる通信システム（1000）は、端末(104)と、端末(104)が移動前に接続する第１の基地局(100)と、端末が移動後に接続する第２の基地局(103)と、第１の基地局(100)および第２の基地局(103)を上位ネットワークに通信可能に接続するゲートウェイ装置(105)と、を備え、第１の基地局(100)は、端末(104)のハンドオーバー時にゲートウェイ装置(105)と通信中の第１の基地局(100)とゲートウェイ装置(105)とがダウンリンクのデータ送信に使用していたトランスポート情報を含み、ハンドオーバーの開始を要求する第1の信号を第２の基地局に送信し、第２の基地局(103)は、第1の信号を受信し、トランスポート情報を含み、トランスポート情報の更新を要求する第２の信号をゲートウェイ装置(105)に送信し、ゲートウェイ装置(105)は、第２の信号を受信し、第１の基地局(100)のトランスポート情報を第２の基地局(103)との通信に引き継ぐ。
2014199535.tif 000002
【特許請求の範囲】
【請求項１】
端末と、
前記端末が移動前に接続する第１の基地局と、
前記端末が移動後に接続する第２の基地局と、
前記第１の基地局および前記第２の基地局を上位ネットワークに通信可能に接続するゲートウェイ装置と、を備え、
前記第１の基地局は、前記端末のハンドオーバー時に前記ゲートウェイ装置と通信中の前記第１の基地局と前記ゲートウェイ装置とがダウンリンクのデータ送信に使用していたトランスポート情報を含み、ハンドオーバーの開始を要求する第1の信号を前記第２の基地局に送信し、
前記第２の基地局は、前記第1の信号を受信し、前記トランスポート情報を含み、トランスポート情報の更新を要求する第２の信号を前記ゲートウェイ装置に送信し、
前記ゲートウェイ装置は、前記第２の信号を受信し、前記第１の基地局の前記トランスポート情報を前記第２の基地局との通信に引き継ぐ、
通信システム。
【請求項２】
前記第２の基地局は、前記トランスポート情報の設定を無効にする設定情報が含まれた第２の信号を前記ゲートウェイ装置に送信する、
請求項１に記載の通信システム。
【請求項３】
前記第１の基地局が前記第1の信号を前記ゲートウェイ装置を経由して前記第２の基地局に送信する、
請求項１又は２に記載の通信システム。
【請求項４】
端末と通信中にハンドオーバーが発生する場合に、自身とゲートウェイ装置とがダウンリンクのデータ送信に使用していたトランスポート情報を含み、ハンドオーバーの開始を要求する第1の信号を第２の基地局に送信する送信手段を備える、基地局。
【請求項５】
第１の基地局と通信している端末のハンドオーバーが発生する場合に、
前記第１の基地局とゲートウェイ装置とがダウンリンクのデータ送信に使用していたトランスポート情報を含み、ハンドオーバーの開始を要求する第1の信号を受信する受信手段と、
前記ゲートウェイ装置に前記トランスポート情報を含み、トランスポート情報の更新を要求する第２の信号を送信する送信手段と、
を備える、基地局。
【請求項６】
前記送信手段は、前記ゲートウェイ装置に前記トランスポート情報の設定を無効にする設定情報を含めた第２の信号を送信する、
請求項５に記載の基地局。
【請求項７】
第１の基地局と通信中の端末のハンドオーバーが発生する場合に、
第２の基地局が送信した前記第１の基地局と自身とがダウンリンクのデータ送信に使用したトランスポート情報を含み、トランスポート情報のの更新を要求する第２の信号を受信する受信手段と、
前記トランスポート情報を前記第２の基地局との通信に引き継ぐハンドオーバー手段と、
を備える、ゲートウェイ装置。
【請求項８】
前記受信手段は、前記第２の基地局が送信した、前記トランスポート情報の設定を無効にする設定情報が含まれた第２の信号を受信する、
請求項７に記載のゲートウェイ装置。
【請求項９】
第１の基地局と通信している端末のハンドオーバーが発生する場合に、
前記第１の基地局とゲートウェイ装置とがダウンリンクのデータ送信に使用していたトランスポート情報を含み、ハンドオーバーの開始を要求する第1の信号を受信し、
前記ゲートウェイ装置に前記トランスポート情報を含み、トランスポート情報の更新を要求する第２の信号を送信する、
基地局の制御方法。
【請求項１０】
第１の基地局と通信中の端末のハンドオーバーが発生する場合に、
第２の基地局が送信した前記第１の基地局と自身とがダウンリンクのデータ送信に使用したトランスポート情報を含み、トランスポート情報の更新を要求する第２の信号を受信し、
前記トランスポート情報を前記第２の基地局との通信に引き継ぐ、
ゲートウェイ装置の制御方法。
【発明の詳細な説明】
【技術分野】
【０００１】
本発明は通信システム、基地局、ゲートウェイ装置、基地局の制御方法及びゲートウェイ装置の制御方法に関し、特に基地局のハンドオーバーに関する。
【背景技術】
【０００２】
ＨＮＢ（Home Node B：家庭用基地局）と呼ばれる、家庭内などでの使用を想定した小型基地局（フェムトセル）が検討されてきている。フェムトセル（Femto Cell）とは、例えば、半径数メートルから数十メートル程度の地域をカバーする、移動通信サービスのための超小型／低電力の屋内基地局である。マクロセル（MacroCell）の電波は、屋内などの場所に届かない場合がある。フェムトセルは、このようなマクロセル局の電波が行き届かない通信環境の悪いエリアに対して、安定した無線通信環境を構築するための屋内基地局である。近い将来、フェムトセル（ＨＮＢ）が、マクロセル配下に大量に配置されることが予想される。【０００３】
フェムトセル（ＨＮＢ）は、カバーするがエリアが狭いため、移動局が移動している場合、マクロセルに比してハンドオーバーが頻繁に発生する。そのため、フェムトセル（ＨＮＢ）の円滑なハンドオーバー制御が重要である。３ＧＰＰ（Third Generation Partnership Project）は、ＨＮＢ間のハンドオーバーに関して、Iurhという論理インターフェースを用いた通信を提示している。３ＧＰＰに関する非特許文献３は、ＨＮＢ間でRNSAP（Radio Network Subsystem Application Part） Signallingにより通信を行うためのIurhインターフェースの定義を記載している。【０００４】
非特許文献１ないし９は、Iurh Interfacで通信するフェムトセル（ＨＮＢ）を提示している。特許文献１はフェムトセルのデータ伝送経路を削減するデータ伝送方法を提示している。
【先行技術文献】
【特許文献】
【０００５】
【特許文献１】特表２０１２−５２１７１０号公報
【非特許文献】
【０００６】
【非特許文献１】3GPP TS25.413 Ver.11.2.0
【非特許文献２】3GPP TS25.423 Ver.11.4.0
【非特許文献３】3GPP TS25.467 Ver.11.1.0
【非特許文献４】3GPP TS25.468 Ver.11.1.0
【非特許文献５】3GPP TS25.469 Ver.11.1.0
【非特許文献６】3GPP TS25.471 Ver.11.1.0
【非特許文献７】3GPP TS36.300 Ver.11.4.0
【非特許文献８】3GPP TS36.370 Ver.11.2.0
【非特許文献９】3GPP TS36.423 Ver.11.3.0
【発明の概要】
【発明が解決しようとする課題】
【０００７】
特許文献１はＨＮＢ間のハンドオーバー失敗の低減については提示していない。非特許文献１、非特許文献２、非特許文献３、非特許文献５、非特許文献６は、Iurh接続しているＨＮＢとＨＮＢとのハンドオーバーを示している。しかし、上記文献が示しているハンドオーバーは、Iurh接続しているＨＮＢ間のハンドオーバーにおいて、Source ＨＮＢ（移動元基地局）がＤＬ（DownLink：ダウンリンク）で使用していたTransport Layer 情報を、Target ＨＮＢ（移動先基地局）には送信していない。【０００８】
その結果、Target ＨＮＢがＨＮＢ−ＧＷ（Home NodeB-Gate Way）にＤＬのTransport情報のmessageを送信する時に、Source ＨＮＢで使用していたＤＬのMandatory parameterであるTransport Layer 情報を正確に設定できず、ＨＮＢ間のハンドオーバーが失敗となる場合がある。【０００９】
本発明は、ＨＮＢ間のハンドオーバーの失敗を低減し、通信を継続可能とする通信システム、基地局、ゲートウェイ装置、基地局の制御方法及びゲートウェイ装置の制御方法を提供することを目的とする。
【課題を解決するための手段】
【００１０】
本発明の一態様にかかる通信システムは、端末と、前記端末が移動前に接続する第１の基地局と、前記端末が移動後に接続する第２の基地局と、前記第１の基地局および前記第２の基地局を上位ネットワークに通信可能に接続するゲートウェイ装置と、を備え、前記第１の基地局は、前記端末のハンドオーバー時に前記ゲートウェイ装置と通信中の前記第１の基地局と前記ゲートウェイ装置とがダウンリンクのデータ送信に使用していたトランスポート情報を含み、ハンドオーバーの開始を要求する第1の信号を前記第２の基地局に送信し、前記第２の基地局は、前記第1の信号を受信し、前記トランスポート情報を含み、トランスポート情報の更新を要求する第２の信号を前記ゲートウェイ装置に送信し、前記ゲートウェイ装置は、前記第２の信号を受信し、前記第１の基地局の前記トランスポート情報を前記第２の基地局との通信に引き継ぐ。【００１１】
本発明の一態様にかかる基地局は、端末と通信中にハンドオーバーが発生する場合に、自身とゲートウェイ装置とがダウンリンクのデータ送信に使用していたトランスポート情報を含み、ハンドオーバーの開始を要求する第1の信号を第２の基地局に送信する送信手段を備える。【００１２】
本発明の一態様にかかる基地局は、第１の基地局と通信している端末のハンドオーバーが発生する場合に、前記第１の基地局とゲートウェイ装置とがダウンリンクのデータ送信に使用していたトランスポート情報を含み、ハンドオーバーの開始を要求する第1の信号を受信する受信手段と、
前記ゲートウェイ装置に前記トランスポート情報を含み、トランスポート情報の更新を要求する第２の信号を送信する送信手段と、を備える。【００１３】
本発明の一態様にかかるゲートウェイ装置は、第１の基地局と通信中の端末のハンドオーバーが発生する場合に、第２の基地局が送信した前記第１の基地局と自身とがダウンリンクのデータ送信に使用したトランスポート情報を含み、トランスポート情報のの更新を要求する第２の信号を受信する受信手段と、前記トランスポート情報を前記第２の基地局との通信に引き継ぐハンドオーバー手段と、
を備える。【００１４】
本発明の一態様にかかる基地局の制御方法は、第１の基地局と通信している端末のハンドオーバーが発生する場合に、前記第１の基地局とゲートウェイ装置とがダウンリンクのデータ送信に使用していたトランスポート情報を含み、ハンドオーバーの開始を要求する第1の信号を受信し、
前記ゲートウェイ装置に前記トランスポート情報を含み、トランスポート情報の更新を要求する第２の信号を送信する。【００１５】
本発明の一態様にかかるゲートウェイ装置の制御方法は、第１の基地局と通信中の端末のハンドオーバーが発生する場合に、第２の基地局が送信した前記第１の基地局と自身とがダウンリンクのデータ送信に使用したトランスポート情報を含み、トランスポート情報の更新を要求する第２の信号を受信し、前記トランスポート情報を前記第２の基地局との通信に引き継ぐ。
【発明の効果】
【００１６】
本発明によると、ＨＮＢ間のハンドオーバーの失敗を低減し、通信を継続可能とする通信システム、基地局、ゲートウェイ装置、基地局の制御方法及びゲートウェイ装置の制御方法を提供することができる。
【図面の簡単な説明】
【００１７】
【図１】本発明の実施の形態１にかかる通信システム１０００の構成を示した図である。
【図２】本発明の実施の形態１にかかるＨＮＢ１００、１０３の構成を示したブロック図である。
【図３】本発明の実施の形態１にかかるＨＮＢ−ＧＷ１０５の構成を示したブロック図である。
【図４】本発明の実施の形態１にかかる、ＨＮＢ１００がＨＮＢ１０３に送信する、ＨＮＢ１００のＲＡＢ引継ぎ要素を示した図である。
【図５】本発明の実施の形態１においてRANAP Enhanced Relocation Information Requestに追加するパラメータの構成を示した図である。
【図６】ＨＮＢ１００からＨＮＢ１０３に端末１０４がハンドオーバーする際に、ＨＮＢ１０３がＨＮＢ−ＧＷ１０５にHNBAP: TNL UPDATE REQUEST messageを送信するまでに行われる、ＨＮＢ間の処理を示しているシーケンス図である。
【図７】本発明の形態実施の形態２にかかるＨＮＢ１０３がＨＮＢ−ＧＷ１０５に送信する、ＨＮＢ１０３のトランスポート情報要素を示した図である。
【図８】本発明の形態実施の形態２にかかる、HNBAP: TNL UPDATE REQUEST messageにパラメータOld Transport info Invalid indicator を追加した図である。
【図９】本発明の実施の形態２における、ＨＮＢ１０３がＨＮＢ−ＧＷ１０５にHNBAP:TNL UPDATE REQUEST messageを送信する処理を示したシーケンス図である。
【図１０】本発明の実施の形態３における、RNSAP Enhanced Relocation RequestにSource Side Iu DL TNL Information としてTransport Layer Address,Iu Transport Associationを追加した図である。
【図１１】本発明の実施の形態４における、RNA: CONNECT messageにSource Side Iu DL TNL Information としてTransport Layer Address,Iu Transport Associationを追加した図である。
【図１２】本発明の実施の形態１２における、Target HNBがHNB-GWにHNBAP Relocation Complete messageを送信する際に、RAB Listの中に、RAB ID, Old Transport Info, New Transport Infoを追加した図である。
【図１３】ＨＮＢとＨＮＢ−ＧＷと通信における、Iurh Interfaceを示した図である。
【図１４】非特許文献３に記載されたＨＮＢ間のハンドオーバーの処理を示したシーケンス図である。
【図１５】Iurh接続しているＨＮＢとＨＮＢとの間のハンドオーバーで使用されるTransport Layer Addressをに示した図である。
【発明を実施するための形態】
【００１８】
まず、本発明を想到するために検討した事項を示す。非特許文献３は、ＨＮＢ（小型基地局）とＨＮＢ−ＧＷ（ゲートウェイ装置）との間で通信を行う標準インターフェースとしてIuh Interfaceを定義している。また、ＨＮＢ間で通信を行うためのインターフェースとして、Iurh Interfaceを提示している。IuhとIurhのインタフェースについて以下で説明する。
【００１９】
1. Iuh Interface
ＨＮＢ間のハンドオーバー（Hand Over）において、ＨＮＢは、Iuh Interfaceを用いてＨＮＢ−ＧＷにTransport Layer（トランスポート層）情報更新のためのHNBAP（Home Node B Application Protocol）: TNL（Transport Network Layer ） UPDATE REQUEST/RESPONSE messageや、ハンドオーバー完了を意味するHNBAP: Relocation Complete messageを送信する。Iuh Interfaceでは、HNBAP（Home Node B Application Protocol）、RANAP（Radio Access Network Application Part）、RUA（RANAP User Adaptation）、SABP（Service Area Broadcast Protocol）を使用している。即ち、ＨＮＢは、ＨＮＢ−ＧＷとの通信にIuh Interfaceを用いる(非特許文献３ AnnexB参照)。
【００２０】
2. Iurh Interface
ＨＮＢは、Iurh InterfaceによってＨＮＢ間でコネクション型またはコネクションレス型のデータ転送を送受信している。ＨＮＢ間のハンドオーバーにおいて、ＨＮＢは、Iurh Interfaceを用いてRNA（RNSAP（Radio Network Subsystem Application Part） User Adaption） Connect/Transfer/Disconnect messageを送受信する。RNA messageは、RNSAP messageを運ぶことができる。Iuｒh Interfaceでは、RNSAP（Radio Network Subsystem Application Part）とRNA（RNSAP User Adaption）を使用している。即ち、ＨＮＢはＨＮＢとの通信にIurh Interfaceを用いる(非特許文献３ AnnexB参照)。
【００２１】
図１３は、ＨＮＢとＨＮＢ−ＧＷと通信における、Iurh Interfaceを示した図である。図１３で示すようにIurh Interfaceには、Direct IurhとIndirect Iurhの２通りの接続方法がある。Direct Iurhは、ＨＮＢ間でDirectにIurhを接続する接続方法である。Indirect Iurhは、ＨＮＢ−ＧＷを経由してＨＮＢ間でIurh接続を行う方法、または、SeGW（Security Gateway）経由してＨＮＢ間でIurh接続を行う接続方法である(非特許文献３ AnnexB参照)。
【００２２】
図１４は、非特許文献３に記載されたＨＮＢ間のハンドオーバーの処理を示したシーケンス図である。以下、必要に応じ、Source ＨＮＢをＨＮＢ１００、Target ＨＮＢをＨＮＢ１０３として説明する。
【００２３】
ステップ１において、ＨＮＢ１００はＨＮＢ１０３に、RNA CONNECT messageを送信する。RNA Connect messageの中に、Message Type、Transaction ID、Cause値、Permanent NAS UE Identity、RANAP Enhanced Relocation Information Request等を含んでいる。また、RANAP Enhanced Relocation Information Requestは、Message Type、Source RNC To Target RNC Transparent Container、RABs（Radio Access Bearer ） To Be Setup List等を含んでいる。
【００２４】
ステップ２aにおいて、ＨＮＢ１０３が、TNL（Transport Network Layer ）情報（トランスポート情報）の更新をＨＮＢ−ＧＷに要求するため、ＨＮＢ−ＧＷにHNBAP: TNL UPDATE REQUEST messageを送信するmessageの中に、Message Type、Context-ID、RAB（Radio Access Bearer ）List、Update Causeを含んでいる。なお、RAB List IE(Information Element)の中に、RAB ID、Old Transport Info、New Transport Info、CN Domain Indicatorを含んでいる。
【００２５】
ステップ２ｂにおいて、ＨＮＢ−ＧＷがHNBAP: TNL UPDATE RESPONSE messageをＨＮＢ１０３に送信する。messageの中には、Message Type, Context-ID等が含まれる。ステップ３以降は、本実施の形態とは直接関係のない箇所のため、説明は省略する。ステップ１は、Source ＨＮＢ1００がTarget ＨＮＢ１０３にTransport Layer情報を送信するが、ＨＮＢ１００で使用していたＤＬのTransport Layer 情報を送信することはない。
【００２６】
ステップ２aでＨＮＢ１０３は、ＨＮＢ−ＧＷから送られてくるＤＬのデータをＨＮＢ１００からＨＮＢ１０３に送信することをＨＮＢ−ＧＷに通知する。そのため、ＨＮＢ１０３は、ＨＮＢ−ＧＷにＨＮＢ１００がＤＬで使用していたTransport Layer情報とＨＮＢ１０３のＤＬのTransport Layer 情報を送信しなければならない。しかし、ＨＮＢ１０３は、ＨＮＢ１００のTransport Layer 情報を知ることができないので、ＨＮＢ１００がＤＬで使用していたTransport Layer情報をＨＮＢ−ＧＷに送信することができない。
【００２７】
図１５は、Iurh接続しているＨＮＢとＨＮＢとの間のハンドオーバーで使用されるTransport Layer Addressをに示した図である。図１５は、Transport Layer AddressをTL Addressと省略して記載している。図１５は、ＨＮＢ間のハンドオーバーでＨＮＢが使用するTransport Layer Addressを示している。ＨＮＢ１００とＨＮＢ−ＧＷ１０５間で接続している時は、ＨＮＢ１００はＨＮＢ−ＧＷ１０５のUL Transport Layer Address#2、ＨＮＢ１００のDL Transport Layer Address#1を使用している。
【００２８】
ＨＮＢ１００がＨＮＢ１０３に送信するRNA Connect messageであるRANAP Enhanced Relocation Information Requestの中に、ＨＮＢ１００がＨＮＢ−ＧＷに送信するためのＨＮＢ−ＧＷのUL Transport Layer Address#2を含めている。しかし、ＨＮＢ１００は、RANAP Enhanced Relocation Information Requestの中に、ＤＬで使用していたSource ＨＮＢ１００のTransport Layer Address#1を含めていない。また、ＨＮＢ１００はＨＮＢ１０３に、ＨＮＢ間のData forwarding（データ転送）のために使用するTransport Layer Address #4を通知している。上記の処理でＨＮＢ１０３は、結局ＨＮＢ１００のTransport Layer Address #1を知ることはない。
【００２９】
その後、ＨＮＢ１０３はＨＮＢ−ＧＷに対して、HNBAP: TNL UPDATE REQUESTにOld Transport InfoとNew Transport InfoそれぞれにＤＬのデータ送信に使用されるTransport Layer Addressを含んで送信する。しかし、ＨＮＢ１０３はOld Transport InfoＩＥに対して、ＨＮＢ１００のTransport Layer Address #1を知らないので正しい値を設定できない。また、ＨＮＢ−ＧＷがいずれかのDL Transport Layer AddressからTarget ＨＮＢ１０３のTransport Layer Addressになったというverifyができないという課題がある。
【００３０】
その結果、ＨＮＢ間のハンドオーバーにおいて、ＨＮＢ−ＧＷは設定必須のパラメータを正しく設定できずかつ、ＨＮＢ−ＧＷがどのDL Transport Layer AddressからTarget ＨＮＢのTransport Layer AddressになったというverifyができずＨＮＢ間ハンドオーバーを実施できない可能性がある。本発明は上記の課題を鑑みてなされたものである。
【００３１】
実施の形態１
本実施の形態にかかる通信システム１０００において、ＨＮＢ間のIurh Interfaceを利用したＨＮＢ間ハンドオーバー（Handover：H/O）時に、Source ＨＮＢ１００（第１の基地局）はSource ＨＮＢ１００の情報をTarget ＨＮＢ１０３（第２の基地局）に伝える。即ち、Source ＨＮＢ１００が、ＨＮＢ−ＧＷ１０５（ゲートウェイ装置）からデータを受信していた場合、DL Transport Layer情報を受信しているが、ハンドオーバー時にSource ＨＮＢ１００は、このダウンリンクのデータ送信に使用していたDL Transport Layer情報（トランスポート情報）をTarget ＨＮＢ１０３に送信する。
【００３２】
そして、通信システム１０００において、Target ＨＮＢ１０３がSource ＨＮＢ１００で使用していたDL Transport Layer情報をＨＮＢ−ＧＷ１０５に送信する。ＨＮＢ−ＧＷ１０５は、Iurh Handoverにおいて、Source ＨＮＢ１００向けのDL Transport Layer情報をTarget ＨＮＢ１０３向けのDL Transport Layer情報に正しく引き継ぐよう構成されている。
【００３３】
図１は本発明の実施の形態１にかかる通信システム１０００の構成を示した図である。通信システム１０００は、ＨＮＢ１００と、ＨＮＢ１０３と、ＨＮＢ−ＧＷ１０５と、端末１０４とを備える。ＨＮＢ１００、ＨＮＢ１０３は、お互いにセル情報、ＨＮＢ間のハンドオーバーにおいてＵＥ(User Equipment)のハンドオーバー情報の交換を実施するInterfaceを持つＨＮＢである。ＨＮＢ１００とＨＮＢ１０３とはIurh Interfaceで通信する。
【００３４】
ＨＮＢ−ＧＷ１０５は、ＨＮＢ１００と、ＨＮＢ１０３とIuh Interfaceで通信し、接続を制御・管理する。ＨＮＢ−ＧＷ１０５は、ＨＮＢ１００と、ＨＮＢ１０３とを上位ネットワークに通信可能に接続する。ＨＮＢ−ＧＷ１０５にもInterfaceを備える。端末１０４は、ＨＮＢ１００、ＨＮＢ１０３と無線通信する移動端末（移動局）である。ＨＮＢ１００に制御されているセル１０１と、ＨＮＢ１０３に制御されているセル１０２とは隣接関係にある。この場合、ＨＮＢ間におけるInterfaceは、Iurh Interfaceを使用している。即ち、通信システム１０００はＨＮＢ１００、１０３とＨＮＢ−ＧＷ１０５と端末１０４とが無線通信するシステムである。
【００３５】
図２は、本発明の実施の形態１にかかるＨＮＢ１００、１０３の構成を示したブロック図である。ＨＮＢ１００、１０３は、無線通信処理部２００と基地局間メッセージ処理部２０１と、ＨＮＢ−ＧＷ２０２通信部と、データベース手段２０３とを備える。無線通信処理部２００は、端末１０４と情報を送受信する。即ち、無線通信処理部２００は、端末１０４と情報を送受信する送信手段及び受信手段である。
【００３６】
ＨＮＢ間メッセージ処理部２０１は、ハンドオーバーするために必要なハンドオーバー情報の送受信を行う。即ち、ＨＮＢ間メッセージ処理部２０１は、ＨＮＢ間で情報を送受信する送信手段及び受信手段である。
【００３７】
ＨＮＢ−ＧＷ通信部２０２は、Iuh Interfaceを使用してＨＮＢ−ＧＷ１０５とハンドオーバーするために必要なハンドオーバー情報の送受信を行う。即ち、ＨＮＢ−ＧＷ通信部２０２は、ＨＮＢ−ＧＷ１０５と情報を送受信する送信手段及び受信手段である。
【００３８】
データベース手段２０３は、ＨＮＢ間メッセージ処理部やＨＮＢ−ＧＷ通信部によって、データベース手段に保存している端末情報や自身のＨＮＢ情報を随時更新している。
【００３９】
図３は、本発明の実施の形態１にかかるＨＮＢ−ＧＷ１０５の構成を示したブロック図である。ＨＮＢ−ＧＷ１０５は、ハンドオーバー手段３００と、ＨＮＢ通信手段３０１と、データベース手段３０２とを備える。ＨＮＢ通信手段３０１は、ＨＮＢ１００、１０３と情報を送受信する。また、ＨＮＢ−ＧＷ１０５は、Iuh Interfaceを使用してＨＮＢ１００、１０３とハンドオーバーするために必要なハンドオーバー情報の送受信を行う。
【００４０】
即ち、ＨＮＢ通信手段３０１は、ＨＮＢ１００、１０３と情報を送受信する送信手段及び受信手段である。ハンドオーバー手段３００は、ハンドオーバー情報に基づいてハンドオーバー時にＨＮＢ通信手段３０１の通信先ＨＮＢを切り替える。データベース手段３０２は、ＨＮＢ通信手段３０１によって、保存している端末情報や自身のＨＮＢ−ＧＷ情報を随時更新している。
【００４１】
図４は、本発明の実施の形態１にかかる、ＨＮＢ１００がＨＮＢ１０３に送信する、RANAP Enhanced Relocation Information Requestに含まれるＨＮＢ１００のＲＡＢ引継ぎ情報要素を示した図である。
【００４２】
ＨＮＢ１００からＨＮＢ１０３に送信するＲＡＢ引継ぎ情報要素は以下の通りである。
・ＨＮＢ１００のＲＡＢ情報
・ＨＮＢ１００のTransport Layer情報
【００４３】
図５は、本実施の形態においてRANAP Enhanced Relocation Information Requestに追加するパラメータの構成を示した図である。本実施の形態は、ＩＥの中に、ＤＬのTransport Layer 情報としてSource Side Iu DL TNL InformationＩＥを追加する。本実施の形態は、このＩＥにＨＮＢ１００がＨＮＢ−ＧＷに送信するためのＨＮＢ−ＧＷ１０５のUL Transport情報を含めている。
【００４４】
即ち、本実施の形態１におけるＨＮＢ１００がＨＮＢ１０３に送信するSource Side Iu DL TNL Information IEは、３ＧＰＰのSource Side Iu UL TNL Information ＩＥとは異なるＩＥとして定義されている。本実施の形態１におけるRANAP Enhanced Relocation Information Requestを第１の信号とする。なお、Source ＨＮＢ１００がTarget ＨＮＢ１０３に送信する情報は、RNAもしくはRNSAPもしくはRANAP messageのいずれかに含めてもよい。
【００４５】
実施の形態１の処理の説明
以下、実施の形態１にかかる通信システム１０００の処理を説明する。以下の説明ではＨＮＢ１００、１０３の各構成要素を区別するためにＨＮＢ１００の構成要素の符号にａ、ＨＮＢ１０３の構成要素の符号にｂを添付する。
【００４６】
下記の実施の形態のＨＮＢ１００とＨＮＢ１０３間のDirect Iurh接続における処理は、図１４で示されているＨＮＢ間ハンドオーバー時のRNA Connect message（ステップ１）に相当する。即ち、ハンドオーバー時にＨＮＢ１００は、ＨＮＢ１０３に、ハンドオーバーの開始を要求するRANAP Enhanced Relocation Information Request（第１の信号）を送信する。
【００４７】
図６は、ＨＮＢ１００からＨＮＢ１０３に端末１０４がハンドオーバーする際に、ＨＮＢ１０３がＨＮＢ−ＧＷ１０５にトランスポート情報の更新を要求するHNBAP: TNL UPDATE REQUEST message（第２の信号）を送信するまでに行われる、ＨＮＢ間の処理を示しているシーケンス図である。
【００４８】
ＨＮＢ１００は、無線通信処理部２００ａを通じて端末１０４と通信している。端末１０４通信がセル１０１の範囲内の位置からセル１０２の範囲内の位置に移動する。端末１０４は、通信先をＨＮＢ１００からＨＮＢ１０３へハンドオーバーする必要が生じる。
【００４９】
ハンドオーバー時にSource ＨＮＢ１００のＨＮＢ間メッセージ処理部２０１ａが、データベース手段２０３ａよりSource ＨＮＢ１００のDL Transport Layer情報（トランスポート情報）を読み出す。ＨＮＢ１００のＨＮＢ間メッセージ処理部２０１ａがＨＮＢ１０３にRNA: Connect messageを送信する（Ｓ０１１）。この時、RNA CONNECT messageは、図５に示すようにRANAP Enhanced Relocation Information Request（第１の信号）を含んでいる。ここで、ＨＮＢ間メッセージ処理部２０１ａは、Source Side Iu DL TNL Information IE情報（トランスポート情報）をRANAP Enhanced Relocation Information Request（第１の信号）に含めてＨＮＢ１０３に送信する。
【００５０】
ＨＮＢ１０３のメッセージ処理部２０１ｂは、Source Side Iu DL TNL Information IE情報が追加されたRANAP Enhanced Relocation Information Requestを受信する。ＨＮＢ１０３のメッセージ処理部２０１ｂは、データベース手段２０３ｂにSource Side Iu DL TNL InformationＩＥ（トランスポート情報）を記憶する。ＨＮＢ１０３のＨＮＢ−ＧＷ通信部２０２ｂは、データベース手段２０３ｂからSource Side Iu DL TNL InformationＩＥ（トランスポート情報）を読み出す。ＨＮＢ１０３のＨＮＢ−ＧＷ通信部２０２ｂは、ＨＮＢ−ＧＷ１０５にHNBAP: TNL UPDATE REQUEST（第２の信号）を送信する（Ｓ０１２）。
【００５１】
この時、ＨＮＢ１０３のＨＮＢ−ＧＷ通信部２０２ｂは、HNBAP: TNL UPDATE REQUEST message（第２の信号）の中に、Source Side Iu DL TNL Information ＩＥ（トランスポート情報）を含めて送信する。ＨＮＢ−ＧＷ１０５のＨＮＢ通信手段３０１は、Source Side Iu DL TNL Information ＩＥが含まれたHNBAP: TNL UPDATE REQUEST（第２の信号）を受信する。ＨＮＢ−ＧＷ１０５のＨＮＢ通信手段３０１は、DL Transport Layer情報をデータベース手段３０２に記憶する。この処理により、ＨＮＢ−ＧＷ１０５は、Source ＨＮＢ１００向けのDL Transport Layer情報をTarget ＨＮＢ１０３向けのDL Transport Layer情報として引き継ぐ。
【００５２】
ＨＮＢ−ＧＷ１０５のＨＮＢ通信手段３０１は、HNBAP: TNL UPDATE RESPONSE messageをＨＮＢ１０３に送信する。その後の処理（図１４ステップ３以降に相当）で、ＨＮＢ−ＧＷ１０５のハンドオーバー手段３００は、データベース手段３０２よりDL Transport Layer情報を読み出し、ＨＮＢ１００向けのDL Transport Layer情報に基づいてＨＮＢ通信手段３０１の通信先をＨＮＢ１００からＨＮＢ１０３に切り替える。ＨＮＢ１０３は、ＨＮＢ１００向けのDL Transport Layer情報に基づいて無線通信処理部２００ｂを通じて端末１０４との通信を行い、ハンドオーバーが終了する。
【００５３】
効果の説明
上記の様に、本発明の実施の形態１にかかる通信システム１０００は、ＨＮＢ１００がＨＮＢ１０３にSource Side Iu DL TNL Information（第１の信号）を送信することにより、ＨＮＢ間でのＤＬのTransport Layer情報の引継ぎが可能になる。そして、通信システム１０００において、ＨＮＢがＨＮＢ−ＧＷ１０５にＤＬのTransport Layer情報を正しく設定することが可能になり、ＨＮＢ間でのハンドオーバーの失敗を低減することができる。さらに、通信システム１０００において、ＨＮＢ−ＧＷ１０５がいずれかのDL Transport Layer AddressからTarget ＨＮＢ１０３のTransport Layer Addressになったというverifyが可能になる。
【００５４】
実施の形態２
上記の検討事項に記載した様に、図１４ステップ２aにおいて、ＨＮＢ１０３はＨＮＢ−ＧＷに対して、HNBAP: TNL UPDATE REQUESTにOld Transport InfoとNew Transport InfoそれぞれにＤＬのデータ送信に使用されるTransport Layer Addressを含んで送信する。Old Transport Layer IEは必須のパラメータ（Mandatory parameter）である。
【００５５】
しかし、ＨＮＢ１００がＨＮＢ１００のＤＬで使用していたTransport Layer 情報をTarget ＨＮＢ１０３に送信しない場合には、HNBAP messageにおいて、ＨＮＢ１０３はＨＮＢ１００のTransport Layer情報を知らないのでOld Transport InfoＩＥに対して、正しい値を設定できない。
【００５６】
また、Source ＨＮＢ１００がＨＮＢ−ＧＷ１０５に誤ったSource ＨＮＢ１００のＤＬのTransport Layer情報を伝えた場合、ＨＮＢ−ＧＷ１０５が誤ったＤＬのTransport Layer 情報を設定することが起こりうる。
【００５７】
この場合において、ＨＮＢ−ＧＷ１０５からＨＮＢ１００に転送しているＤＬのデータをＨＮＢ１０３は受信できない。そして、ＨＮＢ１００からＨＮＢ１０３にハンドオーバーする端末は、ＨＮＢ１００で使用していたサービスが切断され、継続的にサービスを利用できない場合がある。
【００５８】
Iurh Interfaceで通信しているＨＮＢ間のハンドオーバーをする場合において、Target ＨＮＢ１０３がＨＮＢ−ＧＷ１０５にHNBAP messageを送信する場合を考える。非特許文献３に記載されたＨＮＢ間のハンドオーバー時において、Target ＨＮＢは、ＨＮＢ−ＧＷにHNBAP: TNL UPDATE REQUEST messageを送信している（図１４ステップ２）。HNBAPは、Iuh InterfaceにおけるＨＮＢネットワークの制御プロトコルである。
【００５９】
HNBAPプロトコルは、以下の機能を提供している。
・ＨＮＢ−ＧＷとＨＮＢの登録
・ＨＮＢの同定
・ＨＮＢを通じたＨＮＢ−ＧＷとＵＥの登録
【００６０】
本実施の形態の通信システム１０００の処理は、図１４のＨＮＢとＨＮＢ−ＧＷ間におけるHNBAP: TNL UPDATE REQUEST送信（図１４ステップ２ａ）に相当する。本実施の形態にかかる通信システム１０００は、Target ＨＮＢ１０３からＨＮＢ−ＧＷ１０５に送信するHNBAP messageを変更可能とするよう構成されている。
【００６１】
本実施の形態において、通信システム１０００は、Target ＨＮＢ１０３がＨＮＢ−ＧＷ１０５にSource ＨＮＢ１００で使用されていたTransport Layer情報を設定しなくてもいいように、Transport Layer情報の設定無効にするInvalid indicatorを設定する。そして、ＨＮＢ１０３は、ＨＮＢ−ＧＷ１０５にＤＬのTransport Layer情報を無効にして送信する。
【００６２】
具体的には、Target ＨＮＢ１０３からＨＮＢ−ＧＷ１０５に送信するHNBAP TNL UPDATE REQUEST message（第２の信号）の中に、Source ＨＮＢ１００のＤＬのTransport Layer 情報を設定無効にする設定情報：Invalid indicatorを追加して送信する。
【００６３】
即ち、Target ＨＮＢ１０３は、ＨＮＢ−ＧＷ１０５にSource ＨＮＢ１００のTransport Layer 情報を含めて送信するが、mandatory parameterになっているSource ＨＮＢ１００のTransport Layer 情報の設定を無効にする設定情報：Invalid indicatorを設定し、ＨＮＢ−ＧＷ１０５に送信する。
【００６４】
図７は、本発明の形態実施の形態２にかかるＨＮＢ１０３がＨＮＢ−ＧＷ１０５に送信する、ＨＮＢ１０３のトランスポート情報要素を示した図である。図８は、本発明の形態実施の形態２にかかる、HNBAP: TNL UPDATE REQUEST message（第２の信号）に設定情報パラメータOld Transport info Invalid indicator を追加した図である。
【００６５】
ＨＮＢ１０３からＨＮＢ−ＧＷ１０５に送る情報要素は以下の通りである。
・端末１０４のＲＡＢ情報
・ＨＮＢ１００のTransport Layer Address設定不要にするInvalid indicator
【００６６】
処理の説明
【００６７】
以下、実施の形態２にかかる通信システム１０００の処理を説明する。図８に示す様に、ＨＮＢ１０３は、ＨＮＢ−ＧＷ１０５にHNBAP: TNL UPDATE REQUEST message（第２の信号）を送信する際に、新たに設定情報を付加して送信する。
【００６８】
図９は、本発明の実施の形態２における、ＨＮＢ１０３がＨＮＢ−ＧＷ１０５にHNBAP:TNL UPDATE REQUEST messageを送信する処理を示したシーケンス図である。
【００６９】
SourceＨＮＢ１００からTarget ＨＮＢ１０３に端末１０４がハンドオーバーする際に、Source ＨＮＢ１００がSource ＨＮＢ１００のＤＬで使用していたTransport Layer 情報をTarget ＨＮＢ１０３に送信しない場合において、Target ＨＮＢ１０３Source ＨＮＢ１００のＤＬで使用していたTransport Layer 情報を受信しない。
【００７０】
Source ＨＮＢ１０３のＨＮＢ間メッセージ処理部２０１ｂが、データベース手段２０３ｂよりSource ＨＮＢ１０３のHNBAP TNL UPDATE Request message情報を読み出す。ＨＮＢ１０３のＨＮＢ間メッセージ処理部２０１ｂは、設定情報Old Transport info Invalid indicatorを含めてＨＮＢ１０３のHNBAP TNL UPDATE Request message（第２の信号）をＨＮＢ−ＧＷ１０５に送信する（Ｓ１０１）。
【００７１】
ＨＮＢ−ＧＷ１０５のＨＮＢ通信手段３０１は、HNBAP TNL UPDATE Request message（第２の信号）を受信する。ＨＮＢ−ＧＷ１０５のＨＮＢ通信手段３０１は、設定情報Old Transport info Invalid indicatorを含んだHNBAP TNL UPDATE Request message情報をデータベース手段３０２に記憶する。ＨＮＢ−ＧＷ１０５のＨＮＢ通信手段３０１は、HNBAP: TNL UPDATE RESPONSE message（第３の信号）をＨＮＢ１０３に送信する。
【００７２】
その後の処理（図１４ステップ３以降に相当）で、ＨＮＢ−ＧＷ１０５のハンドオーバー手段３００は、データベース手段３０２より通信中のＨＮＢ１００のDL Transport Layer情報を読み出し、DL Transport Layer情報に基づいてＨＮＢ通信手段３０１の通信先をＨＮＢ１００からＨＮＢ１０３に切り替える。
【００７３】
ＨＮＢ−ＧＷ１０５は、ＤＬのデータをＨＮＢ１００からＨＮＢ１０３へ送信する。ＨＮＢ１０３は、無線通信処理部２００ｂを通じて端末１０４との通信を引き継ぐ。ＨＮＢ１０３は、無線通信処理部２００ｂを通じて端末１０４との通信を行い、ハンドオーバーが終了する。
【００７４】
効果の説明
上記の様に、ハンドオーバー時にSource ＨＮＢ１００からTarget ＨＮＢ１０３へSource ＨＮＢ１００で使用していたDL Transport Layer情報が送信されない場合がある。これに対し、本実施の形態にかかる通信システム１０００は、設定情報：Old Transport info Invalid indicatorの設定によって、Source ＨＮＢ１００のＤＬのTransport Layer情報を設定しなくともＨＮＢ間のIurh Interfaceを使用したハンドオーバーが可能となる。
【００７５】
実施の形態３
本実施の形態において、図１０に示すようにRNSAP Enhanced Relocation Request（第１の信号）にSource Side Iu DL TNL Information としてTransport Layer Address,Iu Transport Associationを設定してもよい。通信システム１０００の処理は実施の形態１と同様である。
【００７６】
実施の形態４
本実施の形態において、図１１に示すようにRNA: CONNECT messageにSource Side Iu DL TNL Information としてTransport Layer Address,Iu Transport Associationを追加設定してもよい。通信システム１０００の処理は実施の形態１と同様である。
【００７７】
実施の形態５
本実施の形態において、ＨＮＢ間でＨＮＢ−ＧＷ１０５、ＳｅＧＷを経由するIndirect Iurh InterfaceでSource ＨＮＢ１００のＤＬのTransport Layer情報を引き継いでもよい。通信システム１０００の処理は実施の形態１と同様である。
【００７８】
実施の形態６
本実施の形態においては、HNBAP: TNL UPDATE REQUEST のOld Transport Info （ＨＮＢ１００で使用していたDLのTransport Layer情報）をMandatory parameterからOption parameterとし、ＤＬのTransport Layer情報を設定しないことにしてもよい。通信システム１０００の処理は実施の形態２と同様である。
【００７９】
実施の形態７
本実施の形態においては、ＨＮＢとＨＮＢ−ＧＷ間でRANAP messageをカプセル化し転送するRUA message(非特許文献４)の中においても、Old Transport info Invalid indicator を追加してもよい。通信システム１０００の処理は実施の形態２と同様である。
実施の形態８
本実施の形態においては、ＨＮＢ間のハンドオーバーだけでなく、ＨＮＢから他の無線基地局( eNB, HeNB, Donor eNB, Relay Node, RNC等)へのハンドオーバーにおいても同じ処理を実施してもよい。通信システム１０００の処理は実施の形態１、実施の形態２と同様である。
【００８０】
実施の形態９
本実施の形態においては、Source ＨＮＢ１００がTarget ＨＮＢ１０３に送信する情報として、ＭＤＴ(Minimization of Drive Tests、非特許文献８), Radio Link Failure発生に関する情報 (非特許文献７), UE history information (非特許文献９), Location information(非特許文献１), Source HNB-GWに関する情報, Source MSC, Source SGSNに関する情報, IP-PBXに関する情報, local GWの情報, local server情報(LIPA, SIPTO用), PLMN情報, 企業内GW情報も含めて送信してもよい。
【００８１】
実施の形態１０
本実施の形態においては、ＨＮＢからWi-Fi（登録商標：無線ＬＡＮ）装置、例えば無線ＬＡＮ用のAccess PointやWLC(Wireless LAN Control)やMAG(Mobility Access Gateway)やWAG（Wi-Fi Access Gateway）へのハンドオーバーにおいても同じ処理を実施してもよい。通信システム１０００の処理は実施の形態９と同様である。
【００８２】
実施の形態１１
通信システム１０００の処理は実施の形態１と同様である。本実施の形態においては、RNSAP、RNA以外の任意のプロトコルにおいても同じ処理を実施してもよい。
【００８３】
実施の形態１２
通信システム１０００の構成は実施の形態１と同様である。本実施の形態においては、図１４に記載されているステップ７でTarget ＨＮＢがＨＮＢ−ＧＷにHNBAP Relocation Complete messageを送信する際に、図１２に示すようにRAB Listの中に、RAB ID, Old Transport Info, New Transport Infoを含めて送信してもよい。
【００８４】
効果の説明
実施の形態３、４、５、１１、１２は、実施の形態１の効果と同じである。また、実施の形態６、７は、実施の形態２の効果と同じである。実施の形態８は、実施の形態１、２の効果と同じである。
【００８５】
実施の形態９は、Source ＨＮＢがTarget ＨＮＢに通信ログ情報、ネットワーク情報、無線情報、位置情報を正しく引き継ぐ事ができ、ハンドオーバーが成功し通信を継続する事ができる効果がある。
【００８６】
実施の形態１０は、ＨＮＢからWi-Fi装置におけるハンドオーバーにおいても、通信ログ情報、ネットワーク情報、無線情報、位置情報を正しく引き継ぐ事ができ、ハンドオーバーが成功し通信を継続する事ができる効果がある。
【００８７】
その他の実施の形態
上記で説明したＨＮＢの制御方法は、ＡＳＩＣ（Application Specific Integrated Circuit）を含む半導体処理装置を用いて実現されてもよい。また、これらの処理は、少なくとも１つのプロセッサ（e.g. マイクロプロセッサ、ＭＰＵ、ＤＳＰ（Digital Signal Processor））を含むコンピュータシステムにプログラムを実行させることによって実現されてもよい。具体的には、これらの送信信号処理又は受信信号処理に関するアルゴリズムをコンピュータシステムに行わせるための命令群を含む１又は複数のプログラムを作成し、当該プログラムをコンピュータに供給すればよい。
【００８８】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。
【００８９】
非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００９０】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９１】
なお、本発明は上記実施の形態に限られたものではなく、趣旨を逸脱しない範囲で適宜変更することが可能である。
【００９２】
さらに、上述した実施の形態は本件発明者により得られた技術思想の適用に関する例に過ぎない。すなわち、当該技術思想は、上述した実施の形態のみに限定されるものではなく、種々の変更が可能であることは勿論である。
【００９３】
例えば、上記の実施形態の一部又は全部は、以下の付記のようにも記載されうるが、以下には限られない。
（付記１）
端末と、
前記端末が移動前に接続する第１の基地局と、
前記端末が移動後に接続する第２の基地局と、
前記第１の基地局および前記第２の基地局を上位ネットワークに通信可能に接続するゲートウェイ装置と、を備え、
前記第１の基地局は、前記端末のハンドオーバー時に前記ゲートウェイ装置と通信中の前記第１の基地局と前記ゲートウェイ装置とがダウンリンクのデータ送信に使用していたトランスポート情報を含み、ハンドオーバーの開始を要求する第1の信号を前記第２の基地局に送信し、
前記第２の基地局は、前記第1の信号を受信し、前記トランスポート情報を含み、トランスポート情報の更新を要求する第２の信号を前記ゲートウェイ装置に送信し、
前記ゲートウェイ装置は、前記第２の信号を受信し、前記第１の基地局の前記トランスポート情報を前記第２の基地局との通信に引き継ぐ、
通信システム。
（付記２）
前記第２の基地局は、前記トランスポート情報の設定を無効にする設定情報が含まれた第２の信号を前記ゲートウェイ装置に送信する、
付記１に記載の通信システム。
（付記３）
前記第１の基地局が前記第1の信号を前記ゲートウェイ装置を経由して前記第２の基地局に送信する、
付記１又は２に記載の通信システム。
（付記４）
端末と通信中にハンドオーバーが発生する場合に、自身とゲートウェイ装置とがダウンリンクのデータ送信に使用していたトランスポート情報を含み、ハンドオーバーの開始を要求する第1の信号を第２の基地局に送信する送信手段を備える、基地局。
（付記５）
前記送信手段は、前記第1の信号を前記ゲートウェイ装置を経由して前記第２の基地局に送信する、
付記４に記載の基地局。
（付記６）
第１の基地局と通信している端末のハンドオーバーが発生する場合に、
前記第１の基地局とゲートウェイ装置とがダウンリンクのデータ送信に使用していたトランスポート情報を含み、ハンドオーバーの開始を要求する第1の信号を受信する受信手段と、
前記ゲートウェイ装置に前記トランスポート情報を含み、トランスポート情報の更新を要求する第２の信号を送信する送信手段と、
を備える、基地局。
（付記７）
前記送信手段は、前記ゲートウェイ装置に前記トランスポート情報の設定を無効にする設定情報を含めた第２の信号を送信する、
付記６に記載の基地局。
（付記８）
前記受信手段は、前記ゲートウェイ装置を経由した前記第1の信号を受信する、
付記６又は７に記載の基地局。
（付記９）
第１の基地局と通信中の端末のハンドオーバーが発生する場合に、
第２の基地局が送信した前記第１の基地局と自身とがダウンリンクのデータ送信に使用したトランスポート情報を含み、トランスポート情報のの更新を要求する第２の信号を受信する受信手段と、
前記トランスポート情報を前記第２の基地局との通信に引き継ぐハンドオーバー手段と、
を備える、ゲートウェイ装置。
（付記１０）
前記受信手段は、前記第２の基地局が送信した、前記トランスポート情報の設定を無効にする設定情報が含まれた第２の信号を受信する、
付記９に記載のゲートウェイ装置。
（付記１１）
前記第１の基地局から前記受信手段が受信した前記トランスポート情報が含まれた第1の信号を前記第２の基地局に送信する送信手段を備える、
付記９又は１０に記載のゲートウェイ装置。
（付記１２）
端末と通信中にハンドオーバーが発生する場合に、自身と上位ネットワークに通信可能に接続するゲートウェイ装置とがダウンリンクのデータ送信に使用していたトランスポート情報を含み、ハンドオーバーの開始を要求する第1の信号を第２の基地局に送信する、
基地局の制御方法。
（付記１３）
前記第1の信号を前記ゲートウェイ装置を経由して前記第２の基地局に送信する、
付記１２に記載の基地局の制御方法。
（付記１４）
第１の基地局と通信している端末のハンドオーバーが発生する場合に、
前記第１の基地局とゲートウェイ装置とがダウンリンクのデータ送信に使用していたトランスポート情報を含み、ハンドオーバーの開始を要求する第1の信号を受信し、
前記ゲートウェイ装置に前記トランスポート情報を含み、トランスポート情報の更新を要求する第２の信号を送信する、
基地局の制御方法。
（付記１５）
前記ゲートウェイ装置に前記トランスポート情報の設定を無効にする設定情報を含めた第２の信号を送信する、
付記１４に記載の基地局の制御方法。
（付記１６）
前記ゲートウェイ装置を経由した前記第1の信号を受信する、
付記１４又は１５に記載の基地局の制御方法。
（付記１７）
第１の基地局と通信中の端末のハンドオーバーが発生する場合に、
第２の基地局が送信した前記第１の基地局と自身とがダウンリンクのデータ送信に使用したトランスポート情報を含み、トランスポート情報の更新を要求する第２の信号を受信し、
前記トランスポート情報を前記第２の基地局との通信に引き継ぐ、
ゲートウェイ装置の制御方法。
（付記１８）
前記第２の基地局が送信した、前記トランスポート情報の設定を無効にする設定情報が含まれた第２の信号を受信する、
付記１７に記載のゲートウェイ装置の制御方法。
（付記１９）
前記第１の基地局から受信した前記トランスポート情報が含まれた第1の信号を前記第２の基地局に送信する、
付記１７又は１８に記載のゲートウェイ装置の制御方法。
（付記２０）
端末と通信中にハンドオーバーが発生する場合に、自身と上位ネットワークに通信可能に接続するゲートウェイ装置とがダウンリンクのデータ送信に使用していたトランスポート情報を含み、ハンドオーバーの開始を要求する第1の信号を第２の基地局に送信する、
基地局の制御方法をコンピュータに実行させる非一時的なコンピュータ可読媒体。
（付記２１）
前記第1の信号を前記ゲートウェイ装置を経由して前記第２の基地局に送信する、
付記２０に記載の基地局の制御方法コンピュータに実行させる非一時的なコンピュータ可読媒体。
（付記２２）
第１の基地局と通信している端末のハンドオーバーが発生する場合に、
前記第１の基地局とゲートウェイ装置とがダウンリンクのデータ送信に使用していたトランスポート情報を含み、ハンドオーバーの開始を要求する第1の信号を受信し、
前記ゲートウェイ装置に前記トランスポート情報を含み、トランスポート情報の更新を要求する第２の信号を送信する、
基地局の制御方法コンピュータに実行させる非一時的なコンピュータ可読媒体。
（付記２３）
前記ゲートウェイ装置に前記トランスポート情報の設定を無効にする設定情報を含めた第２の信号を送信する、
付記２２に記載の基地局の制御方法コンピュータに実行させる非一時的なコンピュータ可読媒体。
（付記２４）
前記ゲートウェイ装置を経由した前記第1の信号を受信する、
付記２２又は２３に記載の基地局の制御方法コンピュータに実行させる非一時的なコンピュータ可読媒体。
（付記２５）
第１の基地局と通信中の端末のハンドオーバーが発生する場合に、
第２の基地局が送信した前記第１の基地局と自身とがダウンリンクのデータ送信に使用したトランスポート情報を含み、トランスポート情報の更新を要求する第２の信号を受信し、
前記トランスポート情報を前記第２の基地局との通信に引き継ぐ、
ゲートウェイ装置の制御方法コンピュータに実行させる非一時的なコンピュータ可読媒体。
（付記２６）
前記第２の基地局が送信した、前記トランスポート情報の設定を無効にする設定情報が含まれた第２の信号を受信する、
付記２５に記載のゲートウェイ装置の制御方法コンピュータに実行させる非一時的なコンピュータ可読媒体。
（付記２７）
前記トランスポート情報が含まれた第1の信号を前記第１の基地局から受信した場合に、前記第1の信号を前記第２の基地局に送信する、
付記２５又は２６に記載のゲートウェイ装置の制御方法コンピュータに実行させる非一時的なコンピュータ可読媒体。
【００９４】
以上、実施の形態を参照して本願発明を説明したが、本願発明は上記によって限定されるものではない。本願発明の構成や詳細には、発明のスコープ内で当業者が理解し得る様々な変更をすることができる。
【００９５】
この出願は、２０１３年６月１１日に出願された日本出願特願２０１３−１２２８９５を基礎とする優先権を主張し、その開示の全てをここに取り込む。
【符号の説明】
【００９６】
１００  ＨＮＢ
１０１  セル
１０２  セル
１０３  ＨＮＢ
１０４  端末
１０５  ＨＮＢ−ＧＷ
１０６  Iurh Interface
２００  無線通信処理手段
２０１  ＨＮＢ間メッセージ処理手段
２０２  ＨＮＢ−ＧＷ通信手段
２０３  データベース手段
３００  ハンドオーバー手段
３０１  ＨＮＢ通信手段
３０２  データベース手段
１０００  通信システム
【図１】
2014199535.tif 000003
【図２】
2014199535.tif 000004
【図３】
2014199535.tif 000005
【図４】
2014199535.tif 000006
【図５】
2014199535.tif 000007
【図６】
2014199535.tif 000008
【図７】
2014199535.tif 000009
【図８】
2014199535.tif 000010
【図９】
2014199535.tif 000011
【図１０】
2014199535.tif 000012
【図１１】
2014199535.tif 000013
【図１２】
2014199535.tif 000014
【図１３】
2014199535.tif 000015
【図１４】
2014199535.tif 000016
【図１５】
2014199535.tif 000017
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
ゲートウェイ装置に接続され、
前記ゲートウェイ装置に、Old Transport Infoを送信する送信手段を備え、
前記Old Transport Infoは、前記ゲートウェイ装置がハンドオーバー処理に使用しない情報である無線基地局。
【請求項２】
前記Old Transport Infoは、端末が第一の無線基地局から自局へハンドオーバーする際に送信する情報要素である、
請求項１に記載の無線基地局。
【請求項３】
前記Old Transport Infoは、TNL UPDATE REQUESTメッセージに含まれる、
請求項１又は２のいずれかに記載の無線基地局。
【請求項４】
無線基地局に接続され、
前記無線基地局からOld Transport Infoを受信する受信手段を備え、
前記Old Transport Infoを用いることなくハンドオーバー処理を行う、
ゲートウェイ装置。
【請求項５】
前記Old Transport Infoは、端末が第一の無線基地局から第二の無線基地局へハンドオーバーする際に送信する情報要素である、
請求項４に記載のゲートウェイ装置。
【請求項６】
前記Old Transport Infoは、TNL UPDATE REQUESTメッセージに含まれる、
請求項４又は５のいずれかに記載のゲートウェイ装置。
【手続補正３】
【補正対象書類名】明細書
【補正対象項目名】０００１
【補正方法】変更
【補正の内容】
【０００１】
本発明は、無線基地局、ゲートウェイ装置に関し、特に無線基地局のハンドオーバーに関する。
【国際調査報告】
2014199535.tif 000018
2014199535.tif 000019
2014199535.tif 000020
2014199535.tif 000021